(57)【要約】【課題】電子透かしの埋め込み領域を目立ちにくくすること。【解決手段】電子透かし埋め込み方法は、コンピュータが、電子透かしの埋め込み対象の画像に、前記電子透かしを重畳する第１の重畳手順と、前記電子透かしの領域に隣接する一定範囲の周辺領域に対し、前記電子透かしと同一のパターン又は前記電子透かしに類似するパターンを重畳する第２の重畳手順と、を実行することを特徴とする。【選択図】図１０
2018182509.tif 000002
【特許請求の範囲】
【請求項１】
コンピュータが、
電子透かしの埋め込み対象の画像に、前記電子透かしを重畳する第１の重畳手順と、
前記電子透かしの領域に隣接する一定範囲の周辺領域に対し、前記電子透かしと同一のパターン又は前記電子透かしに類似するパターンを重畳する第２の重畳手順と、
を実行することを特徴とする電子透かし埋め込み方法。
【請求項２】
前記パターンは、電子透かしと略等価的な空間周波数分布を有し、かつ、電子透かしと略同一の見かけの濃度を有する、
ことを特徴とする請求項１記載の電子透かし埋め込み方法。
【請求項３】
前記コンピュータが、
前記電子透かしの領域を特定する情報を、前記画像又は記憶部に記録する記録手順を実行する、
ことを特徴とする請求項１又は２記載の電子透かし埋め込み方法。
【請求項４】
前記第２の重畳手順は、前記画像の全体に前記パターンを重畳する、又は前記パターンを重畳する領域を前記画像の印刷方向に限定する、
ことを特徴とする請求項１乃至３いずれか一項記載の電子透かし埋め込み方法。
【請求項５】
前記第２の重畳手順は、前記パターンをタイル状に並べて前記電子透かしの周囲に重畳する、
ことを特徴とする請求項１乃至４いずれか一項記載の電子透かし埋め込み方法。
【請求項６】
前記第２の重畳手順は、前記電子透かしから離れるほど見かけの濃度が薄くなるように前記パターンを重畳する、
ことを特徴とする請求項１乃至５いずれか一項記載の電子透かし埋め込み方法。
【請求項７】
電子透かしの埋め込み対象の画像に、前記電子透かしを重畳する第１の重畳部と、
前記電子透かしの領域に隣接する一定範囲の周辺領域に対し、前記電子透かしと同一のパターン又は前記電子透かしに類似するパターンを重畳する第２の重畳部と、
を有することを特徴とする電子透かし埋め込み装置。
【請求項８】
請求項１乃至６いずれか一項記載の電子透かし埋め込み方法をコンピュータに実行させることを特徴とするプログラム。
【発明の詳細な説明】
【技術分野】
【０００１】
本発明は、電子透かし埋め込み方法、電子透かし埋め込み装置及びプログラムに関する。
【背景技術】
【０００２】
画像、映像といったコンテンツの流通の際、コンテンツの識別及び管理や著作権の保護及び管理、並びに関連情報の提供などの目的のため、人間の目に知覚されないようにコンテンツ内に別の情報を埋め込む、電子透かし技術が用いられている。特に、画像コンテンツに対する電子透かし技術においては、画素値の微小変更に基づく方法が一般的である。具体的には、例えば、枠線を利用した幾何ひずみ補正と２次元ブロックパターン変調方式に基づく電子透かしとを組み合わせた手法が知られている（非特許文献１）。この手法によれば、予め電子透かしを埋め込んだ画像を紙に印刷した場合でも、携帯電話やスマートフォンのカメラを使って高速かつ安定的に電子透かしを検出可能である。特に、画像を印刷した場合、斜め方向から撮影しても検出可能になる点が大きな利点となっている。
【０００３】
例えば、図１のように、商品のラベルＬ１等の印刷データにおいて、ロゴマークＭ１等の背景に電子透かしパターンＰｗを重畳し、電子透かしパターンＰｗをラベルＬ１と一緒に印刷すれば、ラベルＬ１のデザイン性を損なうことなく、スマートフォンのカメラを使って商品の識別を確実に行うことが可能になり、顧客への情報提供サービスの手段として大変有効である。その際、電子透かしパターンとしては、ドット密度やドット配置、階調パターンの方向性など様々なものが考えられる。例えば、非特許文献１では斜め縞模様を格子状に組み合わせたパターンで電子透かしを表現している。
【先行技術文献】
【非特許文献】
【０００４】
【非特許文献１】中村高雄、片山淳、山室雅司、曽根原登「カメラ付き携帯電話機を用いたアナログ画像からの高速電子透かし検出方式」電子情報通信学会論文誌、D-II Vol.J87-D-II, No.12, pp.2145-2155, 2004
【発明の概要】
【発明が解決しようとする課題】
【０００５】
この様なパターンをラベルや包装フィルム等に印刷するには、オフセット印刷、樹脂凸版、フレキソ印刷、グラビア印刷やインクジェットなどのデジタル印刷を利用可能である。これらの印刷では、通常、ドットの密度やサイズを変化させて階調を再現しており、電子透かしパターンをあまり目立たない様にするには、ドット径とドット密度を小さくし、見かけの濃度を低くすることが必要である。
【０００６】
一方、印刷の耐刷性の面からは、あまりドット径を小さくすることができず、必要な情報を一定面積に埋め込むには、あまり密度を低くできない。そのため、透かし領域だけを対象物に印刷したのでは、やや目立つものとなるのが避けられない。
【０００７】
また、樹脂凸版などでは、印圧の関係で、印刷領域の外側近くで濃度が濃く、中心付近では薄くなるマージナルゾーンと言う現象が発生し、透かし領域だけを印刷すると、透かし領域の境界付近が濃くなり、特に印刷方向の前側が強く印刷され目立つ場合がある。図２には、マージナルゾーンｚ１が示されている。また、版のこの部分に大きな力がかかることにもなるので、磨耗してもたない可能性がある。磨耗すると読み取りエラーが発生し、誤り訂正符号等を用いても読み取れなくなる場合がある。
【０００８】
本発明は、上記の点に鑑みてなされたものであって、電子透かしの埋め込み領域を目立ちにくくすることを目的とする。
【課題を解決するための手段】
【０００９】
そこで上記課題を解決するため、電子透かし埋め込み方法は、コンピュータが、電子透かしの埋め込み対象の画像に、前記電子透かしを重畳する第１の重畳手順と、前記電子透かしの領域に隣接する一定範囲の周辺領域に対し、前記電子透かしと同一のパターン又は前記電子透かしに類似するパターンを重畳する第２の重畳手順と、を実行することを特徴とする。
【発明の効果】
【００１０】
電子透かしの埋め込み領域を目立ちにくくすることができる。
【図面の簡単な説明】
【００１１】
【図１】商品パッケージ等の印刷データに電子透かしパターンを重畳した例を示す図である。
【図２】マージナルゾーンによる濃度の上昇の一例を示す図である。
【図３】本実施の形態における電子透かしパターンの第１の埋め込み例を示す図である。
【図４】本実施の形態における電子透かしパターンの第２の埋め込み例を示す図である。
【図５】本実施の形態における電子透かしパターンの第３の埋め込み例を示す図である。
【図６】本実施の形態における電子透かしパターンの第４の埋め込み例を示す図である。
【図７】本実施の形態における電子透かしパターンの第５の埋め込み例を示す図である。
【図８】第１の実施の形態における電子透かし埋め込み装置１０のハードウェア構成例を示す図である。
【図９】第１の実施の形態における電子透かし埋め込み装置１０の機能構成例を示す図である。
【図１０】第１の実施の形態において電子透かし埋め込み装置１０が実行する処理手順の一例を説明するためのフローチャートである。
【図１１】第２の実施の形態における電子透かし埋め込み装置１０の機能構成例を示す図である。
【図１２】第２の実施の形態において電子透かし埋め込み装置１０が実行する処理手順の一例を説明するためのフローチャートである。
【発明を実施するための形態】
【００１２】
以下、図面に基づいて本発明の実施の形態を説明する。本実施の形態の基本形では、図３に示されるように、電子透かしパターンＰｗが配置された透かし領域の周りに、ガードパターンＰｇを配置して、透かし領域をガードする（目立ちにくくする）。ガードパターンＰｇは、電子透かしパターンＰｗと（見かけ上）同一又は類似するパターン（模様又はテクスチャ）であればよい。電子透かしパターンＰｗと同一又は類似するパターンとして、パターン（模様）の種別が、電子透かしパターンＰｗと同一又は類似するパターンが挙げられる。例えば、電子透かしパターンＰｗが、ドットパターンであれば、ガードパターンＰｇもドットパターンであるのが望ましい。また、電子透かしパターンＰｗが、縞模様であれば、ガードパターンＰｇも縞模様であるのが望ましい。但し、電子透かしパターンＰｗ及びガードパターンＰｇは、ドットパターンや縞模様に限定されない。
【００１３】
このようなガードパターンＰｇは、例えば、電子透かしパターンＰｗと略等価的な空間周波数分布を有し、かつ、電子透かしパターンＰｗと略同一の見かけの濃度を有するパターンであってもよい。この際、ガードパターンＰｇは、電子透かしパターンＰｗと異なる模様を含むパターンであってもよい。なお、略等価的な空間周波数分布には、同一の空間周波数分布も含まれる。また、略同一の見かけの濃度には、同一の濃度も含まれる。略等価的な空間周波数分布とは、２次元的なパワースペクトルが略同一であることをいい、より詳しくは、２次元フーリエン変換後の縦方向及び横方向の各周波数のパワー（振幅）分布が略同一であることをいう。
【００１４】
このようなガードパターンＰｇが電子透かしパターンＰｗの周囲に配置されることにより、透かし領域の境界が目立ちにくくなる共に、特に、樹脂凸版を用いた場合には、ほぼ同じドット密度のパターンを広げることで、透かし領域の印圧分布を均一化し、細かな点を精度良く印刷し、耐刷性も高くできる利点がある。
【００１５】
ガードパターンＰｇの配置位置の一例として、図３の他に、図４〜図７に示されるようなものが挙げられる。なお、図４〜図７は、必ずしも排他的な関係ではなく、適宜組み合わされて実施されてもよい。
【００１６】
図４では、電子透かしパターンＰｗの周りのガードパターンＰｇが、ラベルやシール全体に広げられている。そうすることで、配置パターンの切れ目が無くなるので、より目立たなくできると共に、印圧の均一化、耐摩耗性の向上が期待できる。
【００１７】
図５では、マージナルゾーンが現れるのが印刷方向の前後であるので、電子透かしパターンＰｗの印刷方向だけを対処（印刷方向の前後にガードパターンＰｇを配置）することで、他の方向への影響が小さくされている。
【００１８】
図６では、電子透かしパターンＰｗの周りにガードパターンＰｇがタイル状に並べられている。この方法において、ガードパターンＰｇとして、電子透かしパターンＰｗと同じパターンを用いれば、空間周波数分布的にも等価濃度的にも同一のパターンが利用できるので、より大きな効果が期待できる。
【００１９】
図７では、等価的な濃度が、電子透かしパターンＰｗから離れるほど徐々に低くなるようにガードパターンＰｇが調整されて配置されている。この方法でも、電子透かしパターンＰｗが周囲から識別されにくくなり、より大きな効果が期待できる。
【００２０】
なお、図３〜図７における、電子透かしパターンＰｗとガードパターンＰｇとの境界や、ガードパターンＰｇ間の境界における線は、各図における電子透かしパターンＰｗの位置及び範囲を示すために便宜上付加したものであり、このような線が、各パターンの外周に付加されることを意図するものではない。
【００２１】
電子透かしについて、上記のような埋め込みを行う電子透かし埋め込み装置１０の具体例について説明する。
【００２２】
図８は、第１の実施の形態における電子透かし埋め込み装置１０のハードウェア構成例を示す図である。図８の電子透かし埋め込み装置１０は、それぞれバスＢで相互に接続されているドライブ装置１００、補助記憶装置１０２、メモリ装置１０３、ＣＰＵ１０４、インタフェース装置１０５、表示装置１０６、及び入力装置１０７等を有する。
【００２３】
電子透かし埋め込み装置１０での処理を実現するプログラムは、ＣＤ−ＲＯＭ、ＤＶＤ−ＲＯＭ、ＣＤ−Ｒ、ＣＤ−ＲＷ、ＭＯ、ＨＤＤ等の記録媒体１０１によって提供される。プログラムを記憶した記録媒体１０１がドライブ装置１００にセットされると、プログラムが記録媒体１０１からドライブ装置１００を介して補助記憶装置１０２にインストールされる。但し、プログラムのインストールは必ずしも記録媒体１０１より行う必要はなく、ネットワークを介して他のコンピュータよりダウンロードするようにしてもよい。補助記憶装置１０２は、インストールされたプログラムを格納すると共に、必要なファイルやデータ等を格納する。
【００２４】
メモリ装置１０３は、プログラムの起動指示があった場合に、補助記憶装置１０２からプログラムを読み出して格納する。ＣＰＵ１０４は、メモリ装置１０３に格納されたプログラムに従って電子透かし埋め込み装置１０に係る機能を実現する。インタフェース装置１０５は、ネットワークに接続するためのインタフェースとして用いられる。表示装置１０６はプログラムによるＧＵＩ（Graphical User Interface）等を表示する。入力装置１０７はキーボード及びマウス等で構成され、様々な操作指示を入力させるために用いられる。
【００２５】
図９は、第１の実施の形態における電子透かし埋め込み装置１０の機能構成例を示す図である。図９において、電子透かし埋め込み装置１０は、画像入力部１１、マーカー記録部１２、電子透かし重畳部１３、ガードパターン重畳部１４及び埋め込み済画像出力部１５等を有する。これら各部は、電子透かし埋め込み装置１０にインストールされた１以上のプログラムが、ＣＰＵ１０４に実行させる処理により実現される。
【００２６】
画像入力部１１は、電子透かしの重畳対象とされる、特定の２次元パターンを示す画像、印刷物の画像、又はイラストデザインデータの画像（以下、これらを「対象画像」という。）をディジタルデータとして入力する。当該ディジタルデータの形式は、所定のものに限定されない。例えば、当該ディジタルデータは、ラスタデータでもよいし、ベクタデータでもよい。
【００２７】
マーカー記録部１２は、対象画像において電子透かしが埋め込まれる領域を特定する情報（以下、「マーカー」という。）を記録する。マーカーの記録先は、対象画像でもよいし、補助記憶装置１０２でもよい。
【００２８】
電子透かし重畳部１３は、画像入力部１１によって入力された対象画像の特定の領域に、特定のＩＤを表す電子透かし（電子透かしパターン）を埋め込む。特定のＩＤは、予め補助記憶装置１０２等に記憶されていてもよいし、ユーザによって入力されてもよい。
【００２９】
ガードパターン重畳部１４は、対象画像において、電子透かしパターンの重畳領域に隣接する一定範囲の周辺領域に対しガードパターンを配置（重畳）する。
【００３０】
埋め込み済画像出力部１５は、電子透かしパターン及びガードパターンが重畳された対象画像を、ディジタルデータとして出力、又はプリンタ等に印刷させる。
【００３１】
以下、電子透かし埋め込み装置１０が実行する処理手順について説明する。図１０は、第１の実施の形態において電子透かし埋め込み装置１０が実行する処理手順の一例を説明するためのフローチャートである。
【００３２】
ステップＳ２０１において、画像入力部１１は、電子透かしの埋め込み先である対象画像をディジタルデータとして入力し、対象画像（ディジタルデータを）をマーカー記録部１２へ伝送する。
【００３３】
続いて、マーカー記録部１２は、電子透かしの検出において電子透かしの埋め込み領域の位置を特定するために利用するマーカーを記録する（Ｓ２０２）。例えば、対象画像において電子透かしを埋め込む領域の周囲に明示的な枠線がマーカーとして記録されてもよい（非特許文献１参照）。又は、ＱＲコード（登録商標）の３隅の目玉マーカー（位置検出パターン又はファインダパターン）のようなシンボルが、対象画像において電子透かしを埋め込む領域の３隅にマーカーとして記録されてもよい。
【００３４】
但し、この場合、電子透かしを目立ちにくくするといった効果が低減する可能性が有る。そこで、電子透かしの境界をより目立ちにくくするために、対象画像ではなく補助記憶装置１０２等にマーカーが記録されてもよい。この場合、対象画像そのものがマーカーとして利用されてもよい。対象画像そのものがマーカーとして利用されると、画像認識（例えば、特開２０１５−２０１１２３号公報参照）に基づく透かし埋め込み位置特定方法を利用するために、対象画像のパターン情報がマーカーとして補助記憶装置１０２等に記録されればよい。例えば、マーカー記録部１２は、対象画像から抽出される特徴点の位置座標と、各特徴点より検出される局所特徴量と、対象画像の四隅位置座標とを算出し、それらのパターン情報をマーカーとして補助記憶装置１０２に記録する。
【００３５】
続いて、電子透かし重畳部１３は、特定のＩＤを表す電子透かしパターンを生成し、当該電子透かしパターンを対象画像に埋め込む（重畳する）（Ｓ２０３）。電子透かしパターンの埋め込み位置は、予め決められたルールにより、マーカーが指定する領域（例えば、マーカー記録部１２で記録された枠、又はパターン情報が指定する矩形領域など）から逆算できる特定領域となる。また、電子透かし埋め込み方法としては、例えば、非特許文献１に示された方法等、公知の方法が利用されてもよい。
【００３６】
続いて、ガードパターン重畳部１４は、電子透かし重畳部１３によって埋め込まれた電子透かしパターンの領域の周辺に対し、例えば、図３に示したようなガードパターンを付加（重畳）する（Ｓ２０４）。電子透かしパターンと同じパターンをガードパターンとして用いる場合には、ステップＳ２０３において生成された電子透かしパターンが、ガードパターンとして重畳されればよい。電子透かしパターンと異なるパターンをガードパターンとして用いる場合には、ガードパターン重畳部１４が、電子透かしパターンに基づいてガードパターンを動的に生成してもよい。例えば、電子透かしパターンと略等価的な空間周波数分布を有し、かつ、電子透かしパターンと略同一の見かけの濃度を有するパターンが、ガードパターンとして生成されてもよい。又は、予め存在する（予め用意されている）パターンの中からガードパターンが選択されてもよい。例えば、予め存在するパターンの中から、空間周波数分布と濃度とが電子透かしパターンに最も近いパターンがガードパターンとして選択されてもよい。空間周波数分布と濃度とについて、電子透かしパターンに対する近さは、例えば、空間周波数分布の近さ（差分）を数値化し、濃度の近さ（差分）を数値化し、空間周波数分布の近さに対する重みと濃度の近さに対する重みとに基づく、これらの近さの加重和によって評価されてもよい。
【００３７】
ガードパターンの配置領域としては、予想されるマージナルゾーンの大きさに対し、それ以上の広さの領域を設定することで、埋め込まれている電子透かしを完全にガードすることが可能である。又は、図４に示したように、対象画像の全体（ラベルやシール全体）をガードパターンが満たしてもよい。又は、マージナルゾーンが現れるのが印刷方向の前後であるので、図５に示したように、電子透かしパターンの印刷方向の前後のみにガードパターンの配置領域が限定され、他の方向への影響が小さくされてもよい。又は、図６に示したように、ガードパターンが電子透かし領域の周囲にタイル状に並べられて配置されてもよい。又は、図７に示したように、ガードパターンは、電子透かし領域の中心から離れるほど見かけの濃度が徐々に薄く（低く）なるように調整されて配置されてもよい。
【００３８】
続いて、埋め込み済画像出力部１５は、電子透かしパターン及びガードパターンが重畳された対象画像を埋め込み済み画像として出力する（Ｓ２０５）。出力形態としては、プリンタ等で印刷物として出力されてもよいし、補助記憶装置１０２などの電子媒体へ画像ファイルとしていったん蓄積され、その後、画像を表示装置１０６に表示、又はプリンタで印刷するといった形態でもよい。
【００３９】
上述したように、第１の実施の形態によれば、電子透かしを印刷する際に発生するマージナルゾーンのような透かしの境界付近が目立ち易くなる現象を抑制することで、透かし埋め込み領域をより目立ちにくくすることができる。また、電子透かしを磨耗から保護することができる。
【００４０】
次に、第２の実施の形態について説明する。第２の実施の形態では第１の実施の形態と異なる点について説明する。第２の実施の形態において特に言及されない点については、第１の実施の形態と同様でもよい。
【００４１】
図１１は、第２の実施の形態における電子透かし埋め込み装置１０の機能構成例を示す図である。図１１中、図９と同一部分には同一符号を付し、その説明は省略する。
【００４２】
図１１において、電子透かし埋め込み装置１０は、マーカー記録部１２を有さない。すなわち、第２の実施の形態では、マーカーを全く利用しない電子透かし手法が採用される。
【００４３】
図１２は、第２の実施の形態において電子透かし埋め込み装置１０が実行する処理手順の一例を説明するためのフローチャートである。図１２中、図１０と同一ステップには同一ステップ番号を付し、その説明は省略する。図１２に示されるように、第２の実施の形態では、ステップＳ２０２は実行されなくてよい。
【００４４】
なお、本実施の形態において、電子透かし重畳部１３は、第１の重畳部の一例である。ガードパターン重畳部１４は、第２の重畳部の一例である。補助記憶装置１０２は、記憶部の一例である。
【００４５】
以上、本発明の実施の形態について詳述したが、本発明は斯かる特定の実施形態に限定されるものではなく、特許請求の範囲に記載された本発明の要旨の範囲内において、種々の変形・変更が可能である。
【符号の説明】
【００４６】
１０          電子透かし埋め込み装置
１１          画像入力部
１２          マーカー記録部
１３          電子透かし重畳部
１４          ガードパターン重畳部
１５          埋め込み済画像出力部
１００        ドライブ装置
１０１        記録媒体
１０２        補助記憶装置
１０３        メモリ装置
１０４        ＣＰＵ
１０５        インタフェース装置
１０６        表示装置
１０７        入力装置
Ｂ            バス
【図１】
2018182509.tif 000003
【図２】
2018182509.tif 000004
【図３】
2018182509.tif 000005
【図４】
2018182509.tif 000006
【図５】
2018182509.tif 000007
【図６】
2018182509.tif 000008
【図７】
2018182509.tif 000009
【図８】
2018182509.tif 000010
【図９】
2018182509.tif 000011
【図１０】
2018182509.tif 000012
【図１１】
2018182509.tif 000013
【図１２】
2018182509.tif 000014